(57)【要約】【課題】端末装置が有する表示部が表示する画像の表示形式を変換できるだけでなく、変換した画像の表示部による表示を模擬できる画像変換装置、画像変換システム、及び画像変換プログラムを提供する。【解決手段】  画像を取得する画像取得手段と、画像取得手段が取得した画像の表示形式を変換する変換手段と、画像を表示する表示部を有した端末装置を模擬することで、変換手段が変換した表示形式に従って表示部が行う画像の表示を模擬する模擬手段とを備える。  この構成によれば、取得した画像の表示形式を変換できるだけでなく、表示形式を変換された画像の端末装置が有する表示部による表示を模擬できる。【選択図】図５
2009059074.tif 000002
【特許請求の範囲】
【請求項１】
画像を取得する画像取得手段と、
前記画像取得手段が取得した画像の表示形式を変換する変換手段と、
画像を表示する表示部を有した端末装置を模擬することで、前記変換手段が変換した前記表示形式に従って前記表示部が行う前記画像の表示を模擬する模擬手段とを備えることを特徴とする画像変換装置。
【請求項２】
前記端末装置が実行するプログラムを取得する情報取得手段を更に備え、
前記模擬手段は、前記情報取得手段が取得したプログラムの前記端末装置による実行を模擬することで、前記端末装置が有する表示部の表示を模擬することを特徴とする請求項１に記載の画像変換装置。
【請求項３】
前記情報取得手段は、前記端末装置がプログラムを実行するために用いる情報を取得し、
前記模擬手段は、前記情報取得手段が取得した情報を用いて前記プログラムの前記端末装置による実行を模擬することを特徴とする請求項２に記載の画像変換装置。
【請求項４】
前記変換手段が変換した画像を、前記模擬手段が模擬した端末装置へ送信する送信手段とを備えることを特徴とする請求項１から３のいずれかに記載の画像変換装置。
【請求項５】
画像を表示する表示部を有した端末装置と、
画像の表示形式を変換する変換手段と、
前記端末装置を模擬することで、前記変換手段が変換した前記表示形式に従って前記表示部が行う前記画像の表示を模擬する模擬手段と、
前記変換手段が変換した画像を、前記模擬手段が模擬した端末装置へ送信する送信手段とを有する画像変換装置と、を備えることを特徴とする画像変換システム。
【請求項６】
前記端末装置が実行するプログラムを管理する管理装置を更に備え、
前記模擬手段は、前記管理装置が管理するプログラムの前記端末装置による実行を模擬することで、前記端末装置が有する表示部の表示を模擬することを特徴とする請求項５に記載の画像変換システム。
【請求項７】
コンピュータを、
画像を取得する情報取得手段と、
前記情報取得手段が取得した画像の表示形式を変換する変換手段と、
画像を表示する表示部を有した端末装置を模擬することで、前記変換手段が変換した前記表示形式に従って前記表示部が行う前記画像の表示を模擬する模擬手段として機能させることを特徴とする画像変換プログラム。
【発明の詳細な説明】
【技術分野】
【０００１】
本発明は、画像変換装置、画像変換システム、及び画像変換プログラムに関する。
【背景技術】
【０００２】
従来から、所定のデータ形式で表されたファイルを効率的に転送できるファイル転送方式が知られている（例えば、特許文献１）。
【０００３】
このファイル転送方式は、受信装置から転送の打診を受けたファイルの拡張子及びファイルの端部を構成する端部データを送信装置が返送する事前通知ステップと、拡張子及び端部データを受信した受信装置が、受信した拡張子及び端部データに基づいて送信対象とするファイルのデータ形式を特定すると共に、特定したデータ形式が所定のデータ形式である場合に送信装置への転送を要求する要求ステップと、送信装置が、要求されたファイルを転送する転送ステップとを有することを特徴としている。
【０００４】
また、サーバが送信する画像の大きさを減縮してクライアントへ代理送信できるプロキシシステムが知られている（例えば、特許文献２）。
【０００５】
このプロキシシステムは、サーバからクライアントへ送信される画像データを中継すると共に、中継する画像データが表す画像の大きさを縮小することでクライアントへ送信する画像データを削減する画像データ削減装置と、削減前の画像データが表す画像に対してリンク付けをした位置を表す情報を修正する位置情報制御手段と、を備えることを特徴とする。
【０００６】
更に、画像情報を端末装置に応じた形態に変換して送信できる画像情報通信システムが知られている（例えば、特許文献３）。
【０００７】
この画像情報通信システムは、画像情報を端末装置へ送信する情報送信装置と、情報送信装置が送信した画像情報を受信すると共に、受信した画像情報を端末装置に応じた所定の送信形態に変換して端末装置へ送信する情報受信装置とを備えることを特徴とする。
【０００８】
【特許文献１】特開２００１−１５９９９５
【特許文献２】特開平１１−３０６０６７
【特許文献３】特開２００１−１６７０１５
【発明の開示】
【発明が解決しようとする課題】
【０００９】
本発明の目的とするところは、端末装置が有する表示部が表示する画像の表示形式を変換できるだけでなく、変換した画像の表示部による表示を模擬できる画像変換装置、画像変換システム、及び画像変換プログラムを提供することにある。
【課題を解決するための手段】
【００１０】
本発明に係る画像変換装置は、画像を取得する画像取得手段と、画像取得手段が取得した画像の表示形式を変換する変換手段と、画像を表示する表示部を有した端末装置を模擬することで、変換手段が変換した表示形式に従って表示部が行う画像の表示を模擬する模擬手段とを備えることを特徴としている。
【００１１】
上記構成において、端末装置が実行するプログラムを取得する情報取得手段を更に備え、模擬手段は、情報取得手段が取得したプログラムの端末装置による実行を模擬することで、端末装置が有する表示部の表示を模擬する構成を採用できる。
【００１２】
上記構成において、情報取得手段は、端末装置がプログラムを実行するために用いる情報を取得し、模擬手段は、情報取得手段が取得した情報を用いてプログラムの端末装置による実行を模擬する構成を採用できる。
【００１３】
上記構成において、変換手段が変換した画像を、模擬手段が模擬した端末装置へ送信する送信手段とを備える構成を採用できる。
【００１４】
本発明に係る画像変換システムは、画像を表示する表示部を有した端末装置と、画像の表示形式を変換する変換手段と、端末装置を模擬することで、変換手段が変換した表示形式に従って表示部が行う画像の表示を模擬する模擬手段と、変換手段が変換した画像を、模擬手段が模擬した端末装置へ送信する送信手段とを有する画像変換装置と、を備えることを特徴としている。
【００１５】
上記構成において、端末装置が実行するプログラムを管理する管理装置を更に備え、模擬手段は、管理装置が管理するプログラムの端末装置による実行を模擬することで、端末装置が有する表示部の表示を模擬する構成を採用できる。
【００１６】
本発明に係る画像変換プログラムは、コンピュータを、画像を取得する情報取得手段と、情報取得手段が取得した画像の表示形式を変換する変換手段と、画像を表示する表示部を有した端末装置を模擬することで、変換手段が変換した表示形式に従って表示部が行う画像の表示を模擬する模擬手段として機能させることを特徴としている。
【発明の効果】
【００１７】
請求項１の構成によれば、取得した画像の表示形式を変換できるだけでなく、表示形式を変換された画像の端末装置が有する表示部による表示を模擬できる。
【００１８】
請求項２の構成によれば、端末装置が実行するプログラムを取得すると共に、取得したプログラムの端末装置による実行を模擬することで、端末装置が有する表示部の表示を精度良く模擬できる。
【００１９】
請求項３の構成によれば、端末装置がプログラムを実行するために用いる情報を取得すると共に、取得した情報を用いた端末装置によるプログラムの実行を精度良く模擬できる。
【００２０】
請求項４の構成によれば、表示形式が変換された画像を、模擬対象とした端末装置へ送信できる。
【００２１】
請求項５の構成によれば、表示形式を変換された画像の端末装置が有する表示部による表示を模擬できるだけでなく、変換した画像を模擬した端末装置へ送信できる。
【００２２】
請求項６の構成によれば、管理装置が端末装置の実行するプログラムを管理するため、端末装置によるプログラムの実行を容易に模擬できるだけでなく、端末装置が有する表示部の表示を容易に模擬できる。
【００２３】
請求項７の構成によれば、取得した画像の表示形式を変換できるだけでなく、表示形式を変換された画像の端末装置が有する表示部による表示を模擬できる。
【発明を実施するための最良の形態】
【００２４】
以下、本発明の最良の実施形態について、添付図面を参照しつつ説明する。
【実施例１】
【００２５】
図１は、本発明の画像変換システム及び画像変換装置の一実施形態を示す構成図である。
【００２６】
図１に示す画像変換システム１０は、通信網１００、画像変換装置１０００、携帯端末装置２１００及び２２００、管理装置３０００、並びに送受信装置４０００で構成される。
【００２７】
通信網１００は、例えば、ＬＡＮ（Local Area Network ）、ＷＡＮ（Wide Area Network）、ＭＡＮ（Metropolitan Area Network）、又は公衆回線網で構成され、画像変換装置１０００と送受信装置４０００とを通信可能に接続する。
【００２８】
画像変換装置１０００について説明する前に、携帯端末装置２１００及び２２００について説明する。また、携帯端末装置２１００及び２２００の構成及び機能は、それぞれほぼ同様であるため、以下、携帯端末装置２１００についてのみ説明する。
【００２９】
携帯端末装置２１００は、例えば、携帯電話又はＰＨＳ（Personal Handy-phone System）で構成される。携帯端末装置２１００は、送受信装置４０００との間で電波によって送受信する音声及び情報を用いて通話機能及び情報処理機能を提供する。
【００３０】
ここで情報処理機能は、情報を通信する情報通信機能、及び情報を表示する情報表示機能を含む。情報通信機能は、情報を受信する情報受信機能と情報を送信する情報送信機能とを含み、通話機能は、音声を送信する送話機能と音声を受信する受話機能とを含む。
【００３１】
ここで図２を参照して、携帯端末装置２１００の構成について説明する。図２は、携帯端末装置２１００の一構成例を表す図である。
【００３２】
携帯端末装置２１００は、表示部２１１０、入力部２１２０、受話口２１３０、送話口２１４０、及び外部接続端子２１５０を有する。また携帯端末装置２１００の内部には、図示を省略するが、送受信部、出音部、入音部、及び情報処理部を有している。
【００３３】
送受信部は、例えば、アンテナで構成され、入音部、出音部、及び情報処理部に接続している。送受信部は、送受信装置４０００が送信する電波を受信し、受信した電波が表す音声を出音部へ出力することで受話機能を提供する。また送受信部は、受信した電波が表す画像情報を情報処理部へ出力することで情報受信機能を提供する。
【００３４】
尚、画像情報とは、画像を表す情報をいう。本実施例において、画像情報は、画像を表す電子ファイルである画像ファイル及びアプリケーションファイルを含むとして説明する。
【００３５】
ここで画像ファイルは、例えば、ＢＭＰ（BitMaP）、ＥＰＳ（Encapsulated PostScript file）、ＧＩＦ（Graphics Interchange Format）、ＪＰＥＧ（Joint Photographic Coding Experts Group）、ＰＤＦ（Portable Document Format ）、ＰＮＧ（Portable Network Graphics）、ＰＳ（PostScript）、ＴＩＦＦ（Tagged Image File Format）形式の電子ファイルを含む。
【００３６】
またアプリケーションファイルは、例えば、ワード（Word）、パワーポイント（Power Point）、及びエクセル（Excel）等の画像を表示処理するためのアプリケーションに固有の電子ファイルを含む。
【００３７】
また、本実施例において、画像情報は、電子メールに添付されて送信される構成を採用できるが、これに限定される訳ではなく、携帯端末装置２１００が、画像情報をＨＴＴＰ（HyperText Transfer Protocol ）プロトコル又はＦＴＰ（File Transfer Protocol ）プロトコルを用いて画像変換装置１０００からダウンロードする構成を採用できる。
【００３８】
また送受信部は、入音部が入力した音声を表す電気信号、及び情報処理部が処理した情報を取得し、取得した信号及び情報を電波を用いて送受信装置４０００へ送信することで情報送信機能及び送話機能を提供する。
【００３９】
尚、送受信部が送信する情報は、情報処理部が実行するＯＳ（Operating System)（以下単に、携帯ＯＳという）、情報処理部が実行するアプリケーション・プログラム（以下単位、携帯アプリという）、並びに携帯ＯＳ又は携帯アプリの実行に用いられる情報（以下単に、携帯リソースという）を含む。尚、携帯ＯＳ及び携帯アプリについては後述する。
【００４０】
出音部は、例えば、スピーカで構成される。出音部は、送受信部から音声を表す信号を取得し、取得した音声を送話口２１４０を通じて出音する。
【００４１】
入音部は、例えば、マイクロフォンで構成される。入音部は、送話口２１４０を通じて音声を収音し、収音した音声を表す電気信号を送受信部へ出力する。
【００４２】
情報処理部は、ソフトウェア制御を実行することで、各種の情報を処理する。ここで、情報処理部がソフトウェア制御を実行するためのハードウェア構成は、後述する画像変換装置１０００のハードウェア構成と同様であるため、説明を省略する。
【００４３】
情報処理部は、表示部２１１０、入力部２１２０、外部接続端子２１５０、及び送受信部に接続する。情報処理部は、送受信部から画像情報を取得する。次に、情報処理部は、携帯リソースを用いて携帯ＯＳ、携帯アプリ、及びＵＩ（User Interface）プログラム（以下単に、携帯ＵＩという）を実行して画像情報を処理する。
【００４４】
また情報処理部は、情報処理部が実行する携帯ＯＳ及び携帯アプリ、並びに携帯ＯＳ及び携帯アプリの実行に用いる携帯リソースを、送受信部又は外部接続端子２１５０に接続されたＵＳＢケーブルを介して接続される画像変換装置１０００へ出力する。
【００４５】
ここで、携帯ＯＳ、携帯アプリ、及び携帯ＵＩとの関係について説明をする。
携帯ＯＳは、携帯端末装置２１００を構成する各部と携帯アプリとのインタフェースを提供する手順を表すプログラムである。
【００４６】
携帯アプリは、携帯端末装置２１００が有する通話機能及び情報処理機能を提供するために、携帯ＵＩを介して携帯端末装置２１００の使用者の操作を取得し、取得した操作に基づいて携帯端末装置２１００を構成する各部を携帯ＯＳを介して必要に応じて制御する手順、必要に応じて情報を処理する手順、及び携帯ＵＩを介して表示部２１１０が表示する情報を出力する手順を表すプログラムである。
【００４７】
携帯ＵＩは、入力部２１２０が入力した信号に基づいて使用者の操作を特定し、特定した操作を携帯アプリへ出力する手順を表すプログラムであり、携帯アプリが出力する情報を表示部２１１０が表示するよう制御する手順を表すプログラムである。
【００４８】
表示部２１１０は、例えば、液晶パネル又はプラズマディスプレイで構成され、情報処理部に接続している。本実施例では、表示部２１１０の解像度は、画像変換装置１０００等が有する表示部の解像度よりも小さいとして説明する。しかしこれに限定される訳ではなく、表示部２１１０の解像度は、画像変換装置１０００等が有する表示部の解像度よりも大きい又は同じである構成を採用できる。
【００４９】
表示部２１１０は、情報処理部に制御されて画像情報が表す画像を表示することで情報表示機能を提供する。
【００５０】
入力部２１２０は、例えば、ボタン又はタッチパネルで構成され、情報処理部に接続している。入力部２１２０は、携帯端末装置２１００の使用者の操作を表す信号を情報処理部に入力する。
【００５１】
外部接続端子２１５０は、例えば、ＵＳＢ（Universal Serial Bus）端子で構成され、ＵＳＢケーブル及び情報処理部に接続する。
【００５２】
本実施例では、外部接続端子２１５０は、ＵＳＢ（Universal Serial Bus）端子で構成されるとして説明したが、これに限定される訳ではなく、例えば、外部接続端子２１５０は、ＲＳ２３２Ｃ（Recommended Standard 232 C）端子で構成できる。
【００５３】
ここで図１に戻り画像変換システムの構成について引き続き説明を行う。
画像変換装置１０００、例えば、画像読取（スキャン）機能、印刷（プリント）機能、複写（コピー）機能、情報通信機能、及びＦＡＸ通信機能を有する複合機で構成され、通信網１００、携帯端末装置２１００、及び管理装置３０００に接続している。
【００５４】
画像変換装置１０００は、スキャン機能、情報通信機能、及びＦＡＸ通信機能を発揮することで取得した画像を変換すると共に、変換した画像を携帯端末装置２１００又は２２００へ送信する。
【００５５】
ここで図３を参照して、画像変換装置１０００の構成について説明する。図３は、画像変換装置１０００の一構成例を表す図である。
【００５６】
画像変換装置１０００は、画像取得部１１００、画像出力部１２００、情報通信部１３００、ＦＡＸ通信部１４００、制御部１５００、記憶部１６００、入力部１７００、及び表示部１８００で構成される。
【００５７】
画像取得部１１００、画像出力部１２００、情報通信部１３００、ＦＡＸ通信部１４００、制御部１５００、記憶部１６００、入力部１７００、及び表示部１８００が有する各機能は、画像変換装置１０００が実行するソフトウェア制御により実現される。
【００５８】
ここで図４を参照して、ソフトウェア制御を実行するための画像変換装置１０００のハードウェア構成について説明する。図４は、このソフトウェア制御を実現するための画像変換装置１０００のハードウェアの一構成例を表す図である。
【００５９】
画像変換装置１０００は、例えば、ＣＰＵ（Central Processing Unit）等の演算部１００１、ＥＰＲＯＭ（Erasable Programmable Read-Only Memory）又はＥＥＰＲＯＭ（Electrically Erasable Programmable Read-Only Memory）等の読み出し専用メモリであるＲＯＭ１００２（Read-Only Memory ）、ＤＲＡＭ（Dynamic  RAM）又はＳＲＡＭ（Static  RAM）等の揮発性メモリ及びＮＶＲＡＭ（Non Volatile RAM）等の不揮発性メモリで構成されるＲＡＭ１００３（Random Access Memory）、並びにハードディスク等で構成される外部記憶部１００４で構成され、演算部１００１、ＲＯＭ１００２、ＲＡＭ１００３、及び外部記憶部１００４は互いにバス１００５によって接続している。
【００６０】
ソフトウェア制御は、ＲＯＭ１００２、ＲＡＭ１００３、又は外部記憶部１００４に格納したプログラムを演算部１００１が読み、読込んだプログラムに従って演算部１００１が演算を行うことにより上記各部の機能を実現する。なお、ＲＡＭ１００３には、演算結果のデータが書き込まれ、特にＮＶＲＡＭには、電源オフ時にバックアップが必要なデータが保存される。
【００６１】
ここで図３に戻り、画像変換装置１０００の構成について引き続き説明する。
【００６２】
画像取得部１１００は、例えば、スキャナで構成され、制御部１５００に接続している。画像取得部１１００は、制御部１５００に制御されて、読取対象とする原稿からその原稿に描かれた画像を光学的に読み取ることで画像を表す画像情報を取得し、取得した画像情報を制御部１５００へ出力する。
【００６３】
画像出力部１２００は、例えば、プリンタで構成され、制御部１５００に接続している。画像出力部１２００は、制御部１５００に制御されて画像出力処理を実行することで、出力対象とする画像を表す情報を取得し、取得した情報に基づいて、例えば、印刷用紙、カード、及び板等の印刷媒体に画像を印刷して出力する。
【００６４】
情報通信部１３００は、例えば、ネットワーク・カード又はＵＳＢ（Universal Serial Bus）カードで構成され、通信網１００、携帯端末装置２１００、及び制御部１５００に接続している。
【００６５】
情報通信部１３００は、制御部１５００に制御されて、通信網１００を介して接続された携帯端末装置２２００から、例えば、ＴＣＰ／ＩＰプロトコル（Transmission Control Protocol/Internet Protocol）に従って送信された画像情報を受信し、又は直接に接続された携帯端末装置２１００から、バス転送された画像情報を受信し、受信した情報を制御部１５００へ出力する。
【００６６】
上記実施例では、情報通信部１３００は、例えば、ＵＳＢ（Universal Serial Bus）カードで構成されるとして説明したが、これに限定される訳ではなく、ＲＳ２３２Ｃ・カードで構成され、携帯端末装置２１００と通信網１００を介さずにシリアル通信する構成を採用できる。
【００６７】
また情報通信部１３００は、制御部１５００に制御されて情報取得処理を実行することで、携帯端末装置２１００又は携帯端末装置２２００が実行するプログラムである携帯ＯＳ及び携帯アプリ、並びに携帯ＯＳ及び携帯アプリを実行するために用いる携帯リソースを、携帯端末装置２１００又は２２００から、若しくは管理装置３０００から取得し、取得したプログラム及びリソースを制御部１５００へ出力する。
【００６８】
更に情報通信部１３００は、制御部１５００に制御されて送信処理を実行することで、制御部１５００が表示形式を変換した画像（以下単に、変換画像という）を表す画像情報を取得し、制御部１５００に制御されて取得した画像情報を携帯端末装置２１００又は２２００へ送信する。
【００６９】
ここで、画像の表示形式とは、例えば、画像の垂直解像度及び水平解像度（以下単に、解像度という）、画像の色数、及び画像の大きさを含む。
【００７０】
ＦＡＸ通信部１４００は、例えば、ＦＡＸモデム・カードで構成され、通信網１００及び制御部１５００に接続している。ＦＡＸ通信部１４００は、図示を省略するが、通信網１００に接続するＦＡＸ装置から、例えば、Ｇ４プロトコルに従って送信された画像情報を取得する。
【００７１】
制御部１５００は、画像取得部１１００、画像出力部１２００、情報通信部１３００、ＦＡＸ通信部１４００、記憶部１６００、入力部１７００、及び表示部１８００に接続している。
【００７２】
制御部１５００は、画像取得部１１００、画像出力部１２００、情報通信部１３００、及びＦＡＸ通信部１４００を制御することで、スキャン機能、プリント機能、コピー機能、情報通信機能、及びＦＡＸ通信機能を提供する。
【００７３】
また制御部１５００は、後述する制御処理を実行する。制御部１５００は、制御処理を実行することで、画像取得部１１００、情報通信部１３００、及びＦＡＸ通信部１４００から画像情報を取得し、取得した画像の表示形式を変換し、携帯端末装置２１００又は２２００が有する表示部２１１０による変換画像の表示を模擬し、かつ模擬対象とした携帯端末装置２１００又は２２００へ変換画像を表す画像情報を送信するよう情報通信部１３００を制御する。
【００７４】
ここで図５を参照して、制御部１５００の構成について説明する。図５は、制御部１５００の一構成例を表す図である。
【００７５】
制御部１５００は、保存部１５１０、変換部１５２０、ＵＩ制御部１５３０、模擬部１５４０、及び送信制御部１５５０で構成される。
【００７６】
保存部１５１０は、情報通信部１３００及び記憶部１６００に接続している。保存部１５１０は、保存処理を実行することで、携帯ＯＳ、携帯アプリ、及び携帯リソースを記憶部１６００へ保存する。
【００７７】
よって図６を参照して、保存部１５１０が実行する保存処理について説明する。図６は、保存部１５１０が実行する保存処理の一例を表すフローチャートである。
【００７８】
先ず、保存部１５１０は、情報通信部１３００から携帯ＯＳを取得する（ステップＳＴ０００１）。次に、保存部１５１０は、取得した携帯ＯＳを記憶部１６００へ保存する（ステップＳＴ０００２）。
【００７９】
その後、保存部１５１０は、情報通信部１３００から携帯アプリを取得する（ステップＳＴ０００３）。次に、保存部１５１０は、取得した携帯アプリを記憶部１６００へ保存する（ステップＳＴ０００４）。
【００８０】
その後、保存部１５１０は、情報通信部１３００から携帯リソースを取得する（ステップＳＴ０００５）。次に、保存部１５１０は、取得した携帯リソースを記憶部１６００へ保存する（ステップＳＴ０００６）。その後、保存部１５１０は、保存処理の実行を終了する。
【００８１】
ここで図５に戻り、制御部１５００の構成について引き続き説明を行う。
【００８２】
変換部１５２０は、画像取得部１１００、画像出力部１２００、情報通信部１３００、ＦＡＸ通信部１４００、ＵＩ制御部１５３０、及び記憶部１６００に接続している。変換部１５２０は、後述する初期変換処理及び個別変換処理を実行することで、画像の表示形式を変換する。
【００８３】
よって図７を参照して、変換部１５２０が実行する初期変換処理について説明する。図７は、変換部１５２０が実行する初期変換処理の一例を表すフローチャートである。
【００８４】
先ず、変換部１５２０は、画像取得部１１００、情報通信部１３００、及びＦＡＸ通信部１４００から、画像情報を取得する（ステップＳＴ０１０１）。次に、変換部１５２０は、画像情報が表す画像の表示形式を所定の形式に変換する（ステップＳＴ０１０２）。
【００８５】
ここで所定の形式は、予め定められた解像度で画像を表す形式を含む。ここで、変換部１５２０は、例えば、複合機が実行できる既存のアプリケーションを実行することで、画像の表示形式を変換できる。
【００８６】
その後、変換部１５２０は、記憶部１６００に画像情報と画像情報を識別する識別情報とを関連付けて保存する（ステップＳＴ０１０３）。尚、識別情報は、ファイル名を含む。その後、変換部１５２０は、初期変換処理の実行を終了する。
【００８７】
上記実施例では、変換部１５２０は、所定の解像度で画像を表すように画像情報である電子ファイルの形式を変換すると共に、変換した画像を表す電子ファイルと画像ファイルを識別するファイル名とを関連付けて記憶部１６００に保存するとして説明した。しかしこれに限定される訳ではなく、変換部１５２０は、複数の解像度で画像を表すように電子ファイルの形式を変換すると共に、それぞれの解像度で画像を表す電子ファイルをそれぞれの電子ファイルを識別するファイル名と関連付けて記憶部１６００に保存する構成を採用できる。
【００８８】
特に、所定の解像度は、携帯端末装置２１００（又は２２００）が有する表示部２１１０の解像度を基準に定まる解像度である構成を採用できる。
【００８９】
次に図８を参照して、変換部１５２０が実行する個別変換処理について説明する。図８は、変換部１５２０が実行する個別変換処理の一例を表すフローチャートである。
【００９０】
先ず、変換部１５２０は、ＵＩ制御部１５３０から、変換対象とする画像情報の識別情報と、変換後の表示形式とを取得する（ステップＳＴ０２０１）。次に、変換部１５２０は、識別情報で識別される画像情報を、記憶部１６００が記憶する情報を参照して取得する（ステップＳＴ０２０２）。
【００９１】
その後、変換部１５２０は、画像を取得した表示形式に変換する（ステップＳＴ０２０３）。次に、変換部１５２０は、記憶部１６００へ、変換後の画像情報と識別情報とを関連付けて上書保存する（ステップＳＴ０２０４）。その後、変換部１５２０は、個別変換処理の実行を終了する。
【００９２】
ここで図５に戻り、制御部１５００の構成について引き続き説明する。
ＵＩ制御部１５３０は、変換部１５２０、模擬部１５４０、送信制御部１５５０、記憶部１６００、入力部１７００、及び表示部１８００に接続している。
【００９３】
ＵＩ制御部１５３０は、後述する初期表示制御処理及び再表示制御処理を実行することで、表示部１８００の表示を制御する。また、ＵＩ制御部１５３０は、後述する入力制御処理を実行することで、入力部１７００が入力した信号に基づいて画像変換装置１０００の各部を制御する。
【００９４】
ここで、ＵＩ制御部１５３０が実行する初期表示制御処理、再表示制御処理、及び入力制御処理について説明する前に、図９を参照して、ＵＩ制御部１５３０が初期表示制御処理、再表示制御処理、及び入力制御処理を実行する際に表示する模擬画面について説明する。図９は、ＵＩ制御部１５３０によって制御される表示部１８００が表示する模擬画面の一例を表す図である。
【００９５】
図９に示す模擬画面ＦＥは、操作部ＰＭと模擬表示部ＰＩとで構成される。操作部ＰＭは、画像変換装置１０００の操作に供する表示を行う部である。操作部ＰＭは、一覧表示部ＰＭＬ、変換操作部ＰＭＴ、及び送信操作部ＰＭＳとで構成される。
【００９６】
一覧表示部ＰＭＬは、画像変換装置１０００が記憶する画像情報を識別する識別情報を一覧表示するリストボックスである。
【００９７】
一覧表示部ＰＭＬは、使用者が入力部１７００を操作することで、表示の模擬対象とする、表示形式の変換対象とする、又は送信対象とする画像情報（以下単に、処理対象とする画像情報）を特定する操作を表す信号を入力できることを表す表示である。また、一覧表示部ＰＭＬは、処理対象とする画像情報の識別情報をハイライト表示する。
【００９８】
変換操作部ＰＭＴは、画像の変換のために行う操作に供する表示を行う部である。変換操作部ＰＭＴは、画像変換装置１０００の使用者が入力部１７００を操作することで、変換対象とする画像情報の表示形式を変換させる操作を表す信号を入力できることを表す変換ボタンＢＴで構成される。
【００９９】
送信操作部ＰＭＳは、送信先テキストボックスＴＳ及び送信ボタンＢＳで構成される。送信操作部ＰＭＳは、画像の送信のために行う操作に供する表示を行う部である。
【０１００】
送信先テキストボックスＴＳは、使用者が入力部１７００を操作することで入力した画像情報の送信先を表す情報（以下単に、送信先情報という）を表示する。ここで送信先情報は、携帯端末装置２１００又は２２００が電子メールを受信できるメールアカウントを含む。
【０１０１】
ここで送信先情報は、携帯端末装置２１００又は２２００が電子メールを受信できるメールアカウントを含むとして説明したが、これに限定される訳ではない。送信先情報は、例えば、ＵＳＢ接続する携帯端末装置２１００又は２２００を識別するマシン名、ＩＰアドレス、ドメイン名、又はＭＡＣアドレスと携帯端末装置２１００又は２２００が有するディレクトリを識別するディレクトリパスとを組み合わせた情報を含む構成を採用できる。
【０１０２】
送信ボタンＢＳは、画像変換装置１０００の使用者が入力部１７００を操作することで、送信対象とする画像情報を送信させる操作を表す信号を入力できることを表すボタン表示である。
【０１０３】
模擬表示部ＰＩは、模擬操作表示部ＰＩＭ、及び模擬結果表示部ＰＩＲで構成される。模擬操作表示部ＰＩＭは、画像変換装置１０００が模擬対象とする携帯端末装置２１００（又は２２００）が有する入力部２１２０を構成するボタンを表す表示を行う。
【０１０４】
模擬表示部ＰＩが表示するボタンは、例えば、入力部１７００がタッチパネルで構成される場合に、画像変換装置１０００の使用者が模擬操作表示部ＰＩＭに表示されたボタンの上に設置されたタッチパネルの部分に触れることで、携帯端末装置２１００又は２２００のボタン操作を模擬させる操作を表す信号を入力できることを表す。
【０１０５】
模擬結果表示部ＰＩＲは、後述する模擬部１５４０が行った模擬処理の結果（以下単に、模擬結果という）を表示する。特に、模擬結果表示部ＰＩＲは、一覧表示部ＰＭＬがハイライト表示した識別情報で識別される処理対象とする画像情報の、携帯端末装置２１００（又は２２００）が有する表示部２１１０による表示を模擬した結果を表示する。
【０１０６】
ここで図１０を参照して、ＵＩ制御部１５３０が実行する初期表示制御処理について説明する。図１０は、ＵＩ制御部１５３０が実行する初期表示制御処理の一例を表すフローチャートである。尚、ＵＩ制御部１５３０は、模擬画面ＦＥを初期表示する際に、初期表示制御処理の実行を開始する。
【０１０７】
先ず、模擬画面ＦＥを表示するよう表示部１８００を制御する（ステップＳＴ０３０１）。次に、ＵＩ制御部１５３０は、記憶部１６００が記憶する識別情報を取得する（ステップＳＴ０３０２）。
【０１０８】
その後、ＵＩ制御部１５３０は、取得した識別情報を、模擬画面ＦＥの一覧表示部ＰＩに一覧表示するよう制御する（ステップＳＴ０３０３）。次に、ＵＩ制御部１５３０は、模擬部１５４０から、処理対象とする画像情報の模擬結果を取得する（ステップＳＴ０３０４）。
【０１０９】
尚、初期表示制御処理において、処理対象とする画像情報は、一覧表示部ＰＩの最も上に表示された識別情報で識別される画像情報であるとする構成を採用できる。
【０１１０】
その後、ＵＩ制御部１５３０は、模擬画面ＦＥの模擬表示部ＰＩに模擬結果を表示するよう制御する（ステップＳＴ０３０５）。その後、ＵＩ制御部１５３０は、初期表示制御処理の実行を終了する。
【０１１１】
次に、ＵＩ制御部１５３０が実行する再表示制御処理について説明する。
ＵＩ制御部１５３０は、処理対象とする画像情報が変更された場合、又は処理対象とする画像情報の表示形式が変更された場合に、再表示制御処理を実行する。
【０１１２】
先ず、ＵＩ制御部１５３０は、模擬部１５４０から、処理対象とする画像情報の模擬結果を取得する。次に、ＵＩ制御部１５３０は、模擬画面ＦＥの模擬表示部ＰＩに模擬結果を再表示するよう制御する。その後、ＵＩ制御部１５３０は、再表示制御処理の実行を終了する。
【０１１３】
次に、ＵＩ制御部１５３０が実行する入力制御処理について説明する。
先ず、ＵＩ制御部１５３０は、入力部１７００が入力した信号を取得する。次に、ＵＩ制御部１５３０は、取得した信号に基づいて画像変換装置１０００の使用者の操作を特定する。
【０１１４】
その後、ＵＩ制御部１５３０は、特定した操作が、処理対象とする画像情報を変更する操作（以下単に、変更操作という）であるか否かを判断する。ＵＩ制御部１５３０は、特定した操作が変更操作であると判断した場合には、模擬部１５４０へ、処理対象とする画像情報の識別情報を出力する。その後、ＵＩ制御部１５３０は、入力制御処理の実行を終了する。
【０１１５】
ＵＩ制御部１５３０は、特定した操作が変更操作ではないと判断した場合には、特定した操作が、携帯端末装置２１００又は２２００のボタン操作を模擬させる操作（以下単に、模擬操作という）であるか否かを判断する。
【０１１６】
ＵＩ制御部１５３０は、特定した操作が模擬操作であると判断した場合には、模擬部１５４０へ、入力部１７００が入力した信号を出力する。その後、ＵＩ制御部１５３０は、入力制御処理の実行を終了する。
【０１１７】
ＵＩ制御部１５３０は、特定した操作が模擬操作でないと判断した場合には、特定した操作が、表示形式を変換させる操作（以下単に、変換操作という）であるか否かを判断する。
【０１１８】
ＵＩ制御部１５３０は、特定した操作が変換操作であると判断した場合には、変換部１５２０へ、変換対象とする画像情報の識別情報を出力する。
【０１１９】
その後、ＵＩ制御部１５３０は、入力部１７００が入力した信号に基づいて変換後の表示形式を特定し、変換部１５２０へ特定した表示形式を出力する。次に、ＵＩ制御部１５３０は、入力制御処理の実行を終了する。
【０１２０】
ＵＩ制御部１５３０は、特定した操作が変換操作でないと判断した場合には、特定した操作が、画像情報を送信させる操作（以下単に、送信操作という）であるか否かを判断する。
【０１２１】
ＵＩ制御部１５３０は、特定した操作が送信操作であると判断した場合には、送信対象とする画像情報を識別する情報を送信制御部１５６０へ出力する。その後、ＵＩ制御部１５３０は、入力制御処理の実行を終了する。ＵＩ制御部１５３０は、特定した操作が送信操作でないと判断した場合には、入力制御処理の実行を終了する。
【０１２２】
ここで図３に戻り、制御部１５００の構成について引き続き説明を行う。
模擬部１５４０は、ＵＩ制御部１５３０、及び記憶部１６００に接続している。模擬部１５４０は、後述する模擬処理を実行することで、携帯端末装置２１００（又は２２００）を模擬する。
【０１２３】
具体的には、模擬部１５４０は、表示部２１１０を有した携帯端末装置２１００（又は２２００）を模擬することで、変換部１５２０が変換した表示形式に従って表示部２１１０が行う変換画像の表示を模擬する。
【０１２４】
また模擬部１５４０は、情報通信部１３００が取得した携帯リソースという情報を用いて、情報通信部１３００が取得した携帯ＯＳ及び携帯アプリというプログラムの携帯端末装置２１００（又は２２００）による実行を模擬することで、携帯端末装置２１００（又は２２００）が有する表示部２１１０の表示を模擬する。
【０１２５】
ここで図１１を参照して、模擬部１５４０が実行するプログラムの構成について説明する。図１１は、制御部１５００が実行するプログラムの構成について説明するための図である。
【０１２６】
制御部１５００は、画像変換装置１０００のＯＳ（以下単に、装置ＯＳという） ＬＴ１、画像変換装置１０００のアプリケーション（以下単に、装置アプリという）Ｌ２、仮想実行環境プログラムＬ３、携帯ＯＳ ＬＴ４、携帯アプリＬＴ５、エミュレータＬＴ６、及びＵＩプログラム（以下単に、装置ＵＩという）ＬＴ７を実行する。
【０１２７】
ここで、制御部１５００を構成する模擬部１５４０は、仮想実行環境プログラムＬ３、携帯ＯＳ ＬＴ４、携帯アプリＬＴ５、及びエミュレータＬＴ６を実行する。また、ＵＩ制御部１５３０は、装置ＵＩを実行する。
【０１２８】
装置ＯＳ ＬＴ１は、画像変換装置１０００を構成するハードウェアに対するインタフェースを、他のプログラムへ提供する手順を表すプログラムである。
【０１２９】
装置アプリＬＴ２は、画像変換装置１０００が有するスキャン機能、プリント機能、コピー機能、ＦＡＸ通信機能、及び情報通信機能を提供するために制御部１５００が実行するプログラムである。
【０１３０】
装置アプリＬＴ２は、上記機能を提供するために、装置ＵＩ ＬＴ７を介して画像変換装置１０００の使用者の操作を取得し、取得した操作に基づいて画像変換装置１０００を構成する各部を装置ＯＳ ＬＴ１を介して必要に応じて制御する手順、及び装置ＵＩ ＬＴ７を介して表示部２１１０が表示する情報を必要に応じて出力する手順を表すプログラムである。
【０１３１】
仮想実行環境プログラムＬＴ３は、携帯ＯＳ及び携帯アプリを実行するための環境を模擬する手順を表すプログラムである。尚、携帯ＯＳ及び携帯アプリを実行するために模擬された環境を仮想実行環境という。
【０１３２】
具体的には、仮想実行環境プログラムＬＴ３は、携帯端末装置２１００又は２２００が有するＣＰＵ、ＲＯＭ、及びＲＡＭ等の携帯ＯＳ及び携帯アプリを実行するために使用する携帯端末装置２１００又は２２００を構成する各部を模擬する手順を表すプログラムである。
【０１３３】
仮想実行環境プログラムＬＴ３は、装置ＯＳ ＬＴ１を介して画像変換装置１０００を構成するハードウェアを制御し、また制御結果を取得することで携帯ＯＳ及び携帯アプリを実行するための環境を模擬する手順を表す。
【０１３４】
携帯ＯＳ ＬＴ４は、携帯端末装置２１００又は２２００が実行する携帯ＯＳである。よって、携帯ＯＳ ＬＴ４は、仮想実行環境に対するインタフェースを携帯アプリＬＴ５へ提供する手順を表す。
【０１３５】
尚、模擬部１５４０は、記憶部１６００が記憶する携帯リソースを用いて、記憶部１６００が記憶する携帯ＯＳ ＬＴ４を実行することで、携帯端末装置２１００又は２２００による携帯ＯＳの実行を模擬する。
【０１３６】
携帯アプリＬＴ５は、携帯端末装置２１００又は２２００が実行する携帯アプリである。よって、携帯アプリＬＴ５は、エミュレータＬＴ６を介して画像変換装置１０００の使用者の操作を取得し、取得した操作に基づいて仮想実行環境を携帯ＯＳ ＬＴ４を介して必要に応じて制御する手順、及びエミュレータＬＴ６を介して表示部１８００が表示する情報を出力する手順を表す。
【０１３７】
尚、模擬部１５４０は、記憶部１６００が記憶する携帯リソースを用いて、記憶部１６００が記憶する携帯アプリＬＴ５を実行することで、携帯端末装置２１００又は２２００による携帯アプリＬＴ５の実行を模擬する。
【０１３８】
エミュレータＬＴ６は、携帯ＵＩ並びに携帯端末装置２１００又は２２００が有する表示部２１１０及び入力部２１２０を模擬するためのプログラムである。
【０１３９】
エミュレータＬＴ６は、装置ＵＩ ＬＴ７が入力した信号に基づいて使用者の操作を特定し、特定した操作を携帯アプリＬＴ５へ出力する手順を表すプログラムであり、携帯アプリＬＴ５が出力する情報を表示する携帯端末装置２１００又は２２００が有する表示部２１１０を模擬する手順を表すプログラムである。
【０１４０】
装置ＵＩ ＬＴ７は、入力部１７００が入力した信号に基づいて使用者の操作を特定し、特定した操作又は信号を装置アプリＬＴ２又はエミュレータＬＴ６へ出力する手順を表すプログラムであり、装置アプリＬＴ２又はエミュレータＬＴ６が出力する情報又は模擬結果を表示部１８００が表示するよう制御する手順を表すプログラムである。
【０１４１】
ここで図１２を参照して、模擬部１５４０が実行する模擬処理について説明する。図１２は、模擬部１５４０が実行する模擬処理の一例を表すフローチャートである。
【０１４２】
先ず、模擬部１５４０は、記憶部１６００が記憶する仮想実行環境プログラムを参照して、携帯端末装置２１００又は２２００のハードウェアを模擬した仮想実行環境を再現する（ステップＳＴ０４０１）。
【０１４３】
次に、模擬部１５４０は、記憶部１６００が記憶する携帯端末装置２１００又は２２００の携帯リソースを取得する（ステップＳＴ０４０２）。その後、模擬部１５４０は、記憶部１６００が記憶する携帯ＯＳを取得する（ステップＳＴ０４０３）。
【０１４４】
次に、模擬部１５４０は、ステップＳＴ０４０１で再現した仮想実行環境において、携帯ＯＳを実行する（ステップＳＴ０４０４）。その後、模擬部１５４０は、模擬対象とする画像情報である電子ファイルの識別情報であるファイル名を取得する（ステップＳＴ０４０５）。
【０１４５】
ここで本実施例において、模擬部１５４０が模擬対象とする画像情報は、ＵＩ制御部１５３０が初期表示処理を実行する場合には、一覧表示部ＰＭＬの最上行に表示した識別情報で識別される画像情報であるとする構成を採用する。また、模擬対象とする画像情報を変更した場合には、ＵＩ制御部１５３０から取得した識別情報が識別する画像情報とする構成を採用する。
【０１４６】
次に、模擬部１５４０は、ステップＳＴ０４０２で取得した携帯リソースに基づいて、模擬対象とする電子ファイルを処理するために使用する携帯アプリを特定する（ステップＳＴ０４０６）。その後、模擬部１５４０は、ステップＳＴ０４０６で特定した携帯アプリを実行する（ステップＳＴ０４０７）。
【０１４７】
次に、模擬部１５４０は、ステップＳＴ０４０６で特定した携帯アプリを実行して電子ファイルを開く処理を行う（ステップＳＴ０４０８）。その後、模擬部１５４０は、記憶部１６００が記憶する携帯端末装置２１００又は２２００のエミュレータを取得し、取得したエミュレータを実行する（ステップＳＴ０４０９）。
【０１４８】
次に、模擬部１５４０は、ＵＩ制御部１５３０へ電子ファイルを表示する表示部２１１０の模擬結果を出力する（ステップＳＴ０４１０）。その後、模擬部１５４０は、模擬処理の実行を終了する。
【０１４９】
ここで図５に戻り、制御部１５００の構成について引き続き説明する。
【０１５０】
送信制御部１５５０は、ＵＩ制御部１５３０、情報通信部１３００、及び記憶部１６００に接続している。送信制御部１５５０は、後述する送信制御処理を実行することで、変換画像を表す画像情報を、送信先情報が表す送信先へ送信するよう情報通信部１３００を制御する。
【０１５１】
ここで図１３を参照して、送信制御部１５５０が実行する送信制御処理について説明する。図１３は、送信制御部１５５０が実行する送信制御処理の一例について説明するためのフローチャートである。
【０１５２】
送信制御部１５５０は、ＵＩ制御部１５３０から送信対象とする画像情報の識別情報と送信先情報とを取得する（ステップＳＴ０５０１）。次に、送信制御部１５５０は、記憶部１６００からステップＳＴ０５０１で取得した識別情報と関連付けた画像情報を取得する（ステップＳＴ０５０２）。
【０１５３】
その後、送信制御部１５５０は、情報通信部１３００へ送信先情報と画像情報とを出力する（ステップＳＴ０５０３）。次に、送信制御部１５５０は、出力した画像情報を送信先情報が表す送信先へ送信するよう情報通信部１３００を制御する（ステップＳＴ０５０４）。その後、送信制御部１５５０は、送信制御処理の実行を終了する。
【０１５４】
次に図１４及び１５を参照して、制御部１５００が実行する制御処理について説明する。図１４は制御部１５００が実行する制御処理の一例を表すフローチャートの一部であり、図１５は制御部１５００が実行する制御処理の一例を表すフローチャートの他部である。
【０１５５】
先ず、図示を省略するが、制御部１５００は、保存処理を実行する。その後、制御部１５００は、初期変換処理を実行する（ステップＳＴ０６０１）。次に、制御部１５００は、模擬処理を実行する（ステップＳＴ０６０２）。
【０１５６】
ステップＳＴ６０２、ステップＳＴ６１０、及びステップＳＴ６１２を実行した後に、制御部１５００は、初期表示制御処理を実行する（ステップＳＴ０６０３）。次に、制御部１５００は、入力部１７００から信号を取得するまでスリープする（ステップＳＴ０６０４）。
【０１５７】
次に、制御部１５００は、入力制御処理を実行する（ステップＳＴ０６０５）。その後、制御部１５００は、ステップＳＴ０６０４で取得した信号に基づいて実行した入力制御処理によって特定した操作が変更操作又は模擬操作であるか否かを判断する（ステップＳＴ０６０６）。制御部１５００は、特定した操作が変更操作又は模擬操作であると判断する場合にはステップＳＴ０６０７の処理を、そうでない場合にはステップＳＴ０６０８の処理を実行する。
【０１５８】
ステップＳＴ０６０６において、制御部１５００は、特定した操作が変更操作又は模擬操作であると判断した場合には、模擬処理を実行する（ステップＳＴ０６０７）。その後、制御部１５００は、ステップＳＴ０６１０の処理を実行する。
【０１５９】
ステップＳＴ０６０６において、制御部１５００は、特定した操作が変更操作及び模擬操作でないと判断した場合には、特定した操作が変換操作であるか否かを判断する（ステップＳＴ０６０８）。制御部１５００は、特定した操作が変換操作であると判断する場合にはステップＳＴ０６０９の処理を、そうでない場合にはステップＳＴ０６１１の処理を実行する。
【０１６０】
ステップＳＴ０６０８において、制御部１５００は、特定した操作が変換操作であると判断した場合には、個別変換処理を実行する（ステップＳＴ０６０９）。その後、制御部１５００は、ステップＳＴ０６１０の処理を実行する。
【０１６１】
ステップＳＴ０６０７又はＳＴ０６０９を実行した後に、制御部１５００は、再表示制御処理を実行する（ステップＳＴ０６１０）。その後、ステップＳＴ０６０３に戻り上記処理を繰り返す。
【０１６２】
ステップＳＴ０６０８において、制御部１５００は、特定した操作が変換操作でないと判断した場合には、特定した操作が送信操作であるか否かを判断する（ステップＳＴ０６１１）。制御部１５００は、特定した操作が送信操作であると判断する場合にはステップＳＴ０６１２の処理を、そうでない場合には制御処理の実行を終了する。
【０１６３】
ステップＳＴ０６１１において、制御部１５００は、特定した操作が送信操作であると判断した場合には、制御部１５００は、送信制御処理を実行する（ステップＳＴ０６１２）。その後、ステップＳＴ０６０３に戻り上記処理を繰り返す。
【０１６４】
ここで図３に戻り、画像変換装置１０００の構成について引き続き説明を行う。
記憶部１６００は、例えば、ＲＡＭ１００３又は外部記憶部１００４等で構成され、制御部１５００に接続する。
【０１６５】
記憶部１６００は、制御部１５００によって保存された画像情報を含む上記各種の情報を記憶する。また、記憶部１６００は、制御部１５００によって保存された携帯ＯＳ、携帯アプリ、及び携帯リソースを記憶する。記憶部１６００が記憶する情報、携帯ＯＳ、携帯アプリ、及び携帯リソースは、制御部１５００によって参照される。
【０１６６】
入力部１７００は、例えば、キーボード、ポインティング・ディバイス、又はタッチパネルで構成され、制御部１５００に接続する。入力部１７００は、上記各種の情報及び信号を制御部１５００へ入力する。
【０１６７】
表示部１８００は、例えば、液晶ディスプレイ、プラズマディスプレイ、又はＣＲＴ（Cathode Ray Tube）で構成され、制御部１５００に接続する。表示部１８００は、制御部１５００に制御されて、上記各種の情報を表示する。
【０１６８】
ここで図１に戻り、画像変換システム１０の構成について引き続き説明を行う。
管理装置３０００は、例えば、パーソナル・コンピュータで構成され、画像変換装置１０００に接続している。
【０１６９】
管理装置３０００は、携帯端末装置２１００又は２２００が使用する携帯ＯＳ、携帯アプリ、携帯リソースを記憶し、記憶した携帯ＯＳ、携帯アプリ、携帯リソースを画像変換装置１０００へ送信する。
【０１７０】
送受信装置４０００は、例えば、アンテナで構成され、通信網１００に接続している。送受信装置４０００は、通信網１００を介して取得する音声及び情報を電波によって携帯端末装置２２００へ送信する。特に、送受信装置４０００は、通信網１００を介して接続する画像変換装置１０００から、変換画像を表す画像情報を受信し、受信した情報を携帯端末装置２２００へ送信する。
【０１７１】
また、送受信装置４０００は、携帯端末装置２２００から、携帯端末装置２２００が使用する携帯ＯＳ、携帯アプリ、及び携帯リソースを電波によって受信し、受信した携帯ＯＳ、携帯アプリ、及び携帯リソースを通信網１００を介して画像変換装置１０００へ送信する。
【０１７２】
本実施例においては、画像取得部１１００が画像取得手段に相当し、情報通信部１３００が情報取得処理を実行することで情報取得手段が実現され、かつ情報通信部１３００が送信処理を実行することで送信手段が実現され、変換部１５２０が変換手段に相当し、模擬部１５４０が模擬手段に相当し、及び携帯端末装置２１００及び２２００が端末装置に相当する。
【０１７３】
本実施例においては、画像取得部１１００が画像取得手段に相当するとして説明したが、これに限定される訳ではなく、例えば、情報通信部１３００、及びＦＡＸ通信部１４００が画像取得手段に相当する構成を採用できる。
【０１７４】
画像変換装置１０００は、演算部１００１がＲＯＭ１００２、ＲＡＭ１００３、及び外部記憶部１００４の少なくともひとつに格納されたプログラムを実行することによって実現される。また、このプログラムは、磁気ディスクや光ディスク、半導体メモリ、その他の記録媒体に格納して配布したり、ネットワークを介して配信したりすることにより提供できる。
【０１７５】
以上本発明の好ましい実施例について詳述したが、本発明は係る特定の実施例に限定されるものではなく、特許請求の範囲に記載された本発明の要旨の範囲内において、種々の変形、変更が可能である。
【０１７６】
上記実施形態では、外部記憶装置はハードディスク（Hard Disk）で構成されるとして説明したが、これに限定されるわけではなく、例えば、フレキシブルディスク、ＣＤ−ＲＯＭ（Compact Disc Read Only Memory）、ＤＶＤ−ＲＯＭ（Digital Versatile Disk Read Only Memory）、ＤＶＤ−ＲＡＭ（Digital Versatile Disk Random Access Memory）、ＭＯ（magneto-optic）、及び、フラッシュメモリ（flash memory）で構成される実施形式を採用できる。
【図面の簡単な説明】
【０１７７】
【図１】本発明の画像変換システム及び画像変換装置の一実施形態を示す構成図である。
【図２】携帯端末装置の一構成例を表す図である。
【図３】画像変換装置の一構成例を表す図である。
【図４】画像変換装置のハードウェアの一構成例を表す図である。
【図５】制御部の一構成例を表す図である。
【図６】保存部が実行する保存処理の一例を表すフローチャートである。
【図７】変換部が実行する初期変換処理の一例を表すフローチャートである。
【図８】変換部が実行する個別変換処理の一例を表すフローチャートである。
【図９】表示部が表示する模擬画面の一例である。
【図１０】ＵＩ制御部が実行する初期表示制御処理の一例を表すフローチャートである
【図１１】制御部が実行するプログラムの構成について説明するための図である。
【図１２】模擬部が実行する模擬処理の一例を表すフローチャートである
【図１３】送信制御部が実行する送信制御処理の一例について説明するためのフローチャートである。
【図１４】制御部が実行する制御処理の一例を表すフローチャートの一部である
【図１５】制御部が実行する制御処理の一例を表すフローチャートの他部である
【符号の説明】
【０１７８】
１０…画像変換システム      １０００…画像変換装置      
１００１…演算部            １００２…ＲＯＭ            
１００３…ＲＡＭ            １００４…外部記憶部        
１００５…バス              
１１００…画像取得部（画像取得手段）
１２００…画像出力部        
１３００…情報通信部（情報取得手段・送信手段）
１４００…ＦＡＸ通信部      １５００…制御部            
１５１０…保存部            １５２０…変換部（変換手段）
１５３０…ＵＩ制御部        １５４０…模擬部（模擬手段）
１５５０…送信制御部        １６００…記憶部            
１７００…入力部            １８００…表示部            
２１００、２２００…携帯端末装置（端末装置）
２１１０…表示部            ２１２０…入力部            
２１３０…受話口            ２１４０…送話口            
２１５０…外部接続端子      ３０００…管理装置          
４０００…送受信装置        ＢＳ…送信ボタン            
ＢＴ…変換ボタン            ＦＥ…模擬画面              
ＬＴ１…装置ＯＳ            ＬＴ２…装置アプリ          
ＬＴ３…仮想実行環境プログラム
ＬＴ４…携帯ＯＳ            ＬＴ５…携帯アプリ          
ＬＴ６…エミュレータ        ＬＴ７…装置ＵＩ            
ＰＩ…模擬表示部            ＰＩＭ…模擬操作表示部      
ＰＩＲ…模擬結果表示部      ＰＭ…操作部                
ＰＭＬ…一覧表示部          ＰＭＳ…送信操作部          
ＰＭＴ…変換操作部          ＴＳ…送信先テキストボックス
【図１】
2009059074.tif 000003
【図２】
2009059074.tif 000004
【図３】
2009059074.tif 000005
【図４】
2009059074.tif 000006
【図５】
2009059074.tif 000007
【図６】
2009059074.tif 000008
【図７】
2009059074.tif 000009
【図８】
2009059074.tif 000010
【図９】
2009059074.tif 000011
【図１０】
2009059074.tif 000012
【図１１】
2009059074.tif 000013
【図１２】
2009059074.tif 000014
【図１３】
2009059074.tif 000015
【図１４】
2009059074.tif 000016
【図１５】
2009059074.tif 000017